(57)【要約】【課題】同一母体内に複数の胎児が存在する場合における検診時間を短縮することが可能な超音波診断装置および制御プログラムを提供する。【解決手段】超音波診断装置は、同一母体内の複数の胎児のそれぞれについて、予め定められた項目の計測を行う計測部と、表示部と、複数の胎児についてそれぞれ割り当てられた計測結果を表示部に表示させる計測結果表示制御部と、計測結果の割り当ての変更操作にかかる操作キーを計測結果が表示される画面と同一画面に表示させ、操作キーの操作に応じて、複数の胎児にそれぞれ割り当てられた計測結果の割り当てを複数の胎児間で変更する割り当て変更部と、を備える。【選択図】図１
2019201733.tif 000002
【特許請求の範囲】
【請求項１】
同一母体内の複数の胎児のそれぞれについて、予め定められた項目の計測を行う計測部と、
表示部と、
前記複数の胎児についてそれぞれ割り当てられた計測結果を前記表示部に表示させる計測結果表示制御部と、
前記計測結果の割り当ての変更操作にかかる操作キーを前記計測結果が表示される画面と同一画面に表示させ、前記操作キーの操作に応じて、前記複数の胎児にそれぞれ割り当てられた計測結果の割り当てを前記複数の胎児間で変更する割り当て変更部と、
を備える、
超音波診断装置。
【請求項２】
前記割り当て変更部により前記複数の胎児の計測結果の割り当てが変更された場合、その旨を示す割り当て変更情報を表示させる割り当て変更情報表示制御部を備える、
請求項１に記載の超音波診断装置。
【請求項３】
前記計測結果表示制御部は、前記複数の胎児の計測結果をグラフ画面に表示させる、
請求項１または２に記載の超音波診断装置。
【請求項４】
前記操作キーは、前記グラフ画面と同一の画面上に表示される、
請求項３に記載の超音波診断装置。
【請求項５】
前記計測結果表示制御部は、前記複数の胎児の計測結果を計測値表示画面に表示させる、
請求項２に記載の超音波診断装置。
【請求項６】
前記計測結果表示制御部は、前記計測部により今回計測された前記複数の胎児の計測結果、および、前記計測部により前回以前に計測された前記複数の胎児の計測結果を表示させる、
請求項１から５のいずれか一項に記載の超音波診断装置。
【請求項７】
前記計測結果表示制御部は、前記計測結果が前記胎児のものであることの確からしさを示す尤度情報を表示させる、
請求項１から６のいずれか一項に記載の超音波診断装置。
【請求項８】
前記計測結果が胎児のものであることの確からしさを示す尤度情報を記録する尤度情報記録部を備える、
請求項１から６のいずれか一項に記載の超音波診断装置。
【請求項９】
前記割り当て変更情報表示制御部は、前記割り当て変更情報をグラフ画面に表示させる、
請求項２に記載の超音波診断装置。
【請求項１０】
前記割り当て変更情報表示制御部は、前記割り当て変更情報を前記計測値表示画面に表示させる、
請求項５に記載の超音波診断装置。
【請求項１１】
前記割り当て変更部は、前記割り当て変更された前記胎児の計測結果を、変更前の前記胎児の計測結果に再度変更する、
請求項１から１０のいずれか一項に記載の超音波診断装置。
【請求項１２】
前記割り当て変更部は、前記胎児の超音波画像上で、前記胎児の計測結果の割り当てを変更する、
請求項１１に記載の超音波診断装置。
【請求項１３】
前記割り当て変更部は、前記計測部による胎児の計測中に前記胎児の計測結果の割り当てを変更する、
請求項１１または１２に記載の超音波診断装置。
【請求項１４】
同一母体内の複数の胎児のそれぞれについて、予め定められた項目の計測を行う計測部と、
表示部と、
前記複数の胎児についてそれぞれ割り当てられた計測結果を前記表示部に表示させる計測結果表示制御部と、
前記複数の胎児の計測結果がそれぞれの胎児のものであるかどうかについて判別する胎児判別部と、
前記胎児判別部の判別結果に応じて、前記複数の胎児の計測結果の割り当ての変更を促す促進情報を前記表示部に表示させる促進情報表示制御部と、
前記複数の胎児間で前記複数の計測結果の割り当てを変更する割り当て変更部と、
を備える、
超音波診断装置。
【請求項１５】
前記胎児判別部により判別された判別結果を記録する判別結果記録部を備える、
請求項１４に記載の超音波診断装置。
【請求項１６】
前記胎児判別部による判別結果を訂正する判別結果訂正部を備える、
請求項１４または１５に記載の超音波診断装置。
【請求項１７】
同一母体内の複数の胎児のそれぞれについて行われる予め定められた項目の計測において、予め定められた条件に基づいて、計測結果を複数の胎児のいずれかに自動的に割り当てる割り当て部と、
表示部と、
前記複数の胎児についてそれぞれ割り当てられた計測結果を前記表示部に表示させる計測結果表示制御部と、
前記複数の胎児にそれぞれ割り当てられた計測結果の割り当てを前記複数の胎児間で変更する割り当て変更部と、
前記割り当て変更部により前記計測結果の割り当てが変更された場合、前記計測結果が前記予め定められた条件に基づいて割り当てられなかったことを示す割り当て変更情報を表示させる割り当て変更情報表示制御部と、
を備える、
超音波診断装置。
【請求項１８】
前記予め定められた条件は、今回計測された前記複数の胎児の計測結果と、前回以前に計測された前記複数の胎児の計測結果との関連度の高さである、
請求項１７に記載の超音波診断装置。
【請求項１９】
前記複数の胎児のそれぞれと計測結果とを対応づけて記憶する記憶手段を有し、
前記複数の胎児にそれぞれ割り当てられた計測結果の割り当てが前記複数の胎児間で変更された場合、前記記憶手段は、割り当てが変更されたことを示す情報を前記計測結果と対応づけて記憶することを特徴とする請求項１から１８のいずれか一項に記載の超音波診断装置。
【請求項２０】
同一母体内の複数の胎児のそれぞれについて、予め定められた項目の計測を行う計測部と、表示部とを備える超音波診断装置のコンピュータを、
前記複数の胎児についてそれぞれ割り当てられた計測結果を前記表示部に表示させる計測結果表示制御部、
前記計測結果の割り当ての変更操作にかかる操作キーを前記計測結果が表示される画面と同一画面に表示させ、前記操作キーの操作に応じて、前記複数の胎児にそれぞれ割り当てられた計測結果の割り当てを前記複数の胎児間で変更する割り当て変更部、
として機能させるための制御プログラム。
【請求項２１】
同一母体内の複数の胎児のそれぞれについて、予め定められた項目の計測を行う計測部と、表示部とを備える超音波診断装置のコンピュータを、
前記複数の胎児についてそれぞれ割り当てられた計測結果を前記表示部に表示させる計測結果表示制御部、
前記複数の胎児の計測結果がそれぞれの胎児のものであるかどうかについて判別する胎児判別部、
前記胎児判別部の判別結果に応じて、前記複数の胎児の計測結果の割り当ての変更を促す促進情報を前記表示部に表示させる促進情報表示制御部、
前記複数の胎児間で前記複数の計測結果の割り当てを変更する割り当て変更部、
として機能させるための制御プログラム。
【請求項２２】
表示部を備える超音波診断装置のコンピュータを、
同一母体内の複数の胎児のそれぞれについて行われる予め定められた項目の計測において、予め定められた条件に基づいて、計測結果を複数の胎児のいずれかに自動的に割り当てる割り当て部、
前記複数の胎児についてそれぞれ割り当てられた計測結果を前記表示部に表示させる計測結果表示制御部、
前記複数の胎児にそれぞれ割り当てられた計測結果の割り当てを前記複数の胎児間で変更する割り当て変更部、
前記割り当て変更部により前記計測結果の割り当てが変更された場合、前記計測結果が前記予め定められた条件に基づいて割り当てられなかったことを示す割り当て変更情報を表示させる割り当て変更情報表示制御部、
として機能させるための制御プログラム。
【発明の詳細な説明】
【技術分野】
【０００１】
本発明は、超音波診断装置および制御プログラムに関する。
【背景技術】
【０００２】
超音波診断装置は、例えば、超音波パルスを被検体内に送信し、被検体内からの超音波エコーを受信する超音波プローブと、受信された超音波エコーに基づいて超音波画像を生成する超音波診断装置本体と、生成された超音波画像を表示するモニターとを備えている。
【０００３】
また、モニターに表示された超音波画像に基づいて、胎児の計測値を取得する計測値取得手段を備えた超音波診断装置が知られている（例えば、特許文献１を参照）。
【０００４】
例えば、双子の胎児計測では、母体に超音波プローブを当てて母体内からの超音波エコーを受信し、受診した超音波エコーに基づいて超音波画像を生成する。そして、生成した超音波画像をモニターに表示する。計測値取得手段は、超音波画像に基づいて、胎児の発育の指標となる項目（例えば、胎児の頭部大横径（ＢＰＤ）など）の計測を行う。
【０００５】
胎児には、同一母体内の他の胎児と区別するための識別情報（例えば、「胎児Ａ」、「胎児Ｂ」）が付与されている。医師は、識別情報（「胎児Ａ」、「胎児Ｂ」）を指定入力することで、計測前に胎児を選択する。つまり、胎児Ａ、Ｂのいずれかが選択された後、選択された胎児の計測が行われる。
【０００６】
胎児計測は、ほぼ定期的に複数回実施され、その実施回毎に計測結果が得られる。計測結果は、産科患者データベースにおける患者（母体）の胎児Ａ、胎児Ｂそれぞれの記録エリアに記録される。記録エリアには、過去の計測結果も記録されている。レポートは、超音波診断装置が備える発育曲線表示機能等に利用される。発育曲線表示機能とは、例えば、平均的な発育曲線と計測対象の発育曲線との比較表示や、発育曲線上における当該胎児の現在計測値（今回の計測値）を示すマーク表示がされるものである。
【０００７】
また、予め定められた条件に基づいて、各計測結果を複数の胎児のいずれかに自動的に割り当てる超音波診断装置が知られている（例えば、特許文献２を参照）
【先行技術文献】
【特許文献】
【０００８】
【特許文献１】特許第４７０１０１１号公報
【特許文献２】特許第４３２２３７０号公報
【発明の概要】
【発明が解決しようとする課題】
【０００９】
ところで、複数の胎児の成長の様子を表すレポートを作成するためには、計測回毎に当該複数の胎児を正確に判別する必要がある。また、胎児を正確に判別するためには時間がかかる。仮に、胎児の判別を誤ったまま計測を行った場合、胎児の計測を最初からやり直す必要がある。当然ながら、胎児計測のやり直しは、検診時間を長くしてしまう。
【００１０】
上記特許文献１に記載の超音波診断装置では、胎児Ａ、胎児Ｂを選択した後に計測を開始しているため、当該選択後に母体内における胎児Ａ、胎児Ｂの位置が移動等により変化した場合、胎児Ａの計測値が胎児Ｂに対応付けられ、胎児Ｂの計測値が胎児Ａに対応付けられてしまう場合がある。この場合、胎児の計測を最初からやり直す必要があり、検診時間が長くなってしまう。
【００１１】
また、上記特許文献２に記載の超音波診断装置では、胎児に計測結果を自動的に割り当てているため、計測結果が互いに近似していると、計測結果が間違って胎児に割り当てられる場合もある。
【００１２】
本発明の第一の目的は、同一母体内に複数の胎児が存在する場合における検診時間を短縮することが可能な超音波診断装置および制御プログラムを提供することである。また、本発明の第二の目的は、同一母体内に複数の胎児が存在する場合において、胎児と計測結果とが誤って対応づけられることを抑制することが可能な超音波診断装置および制御プログラムを提供することである。
【課題を解決するための手段】
【００１３】
上記の目的を達成するため、本発明における超音波診断装置は、
同一母体内の複数の胎児のそれぞれについて、予め定められた項目の計測を行う計測部と、
表示部と、
前記複数の胎児についてそれぞれ割り当てられた計測結果を前記表示部に表示させる計測結果表示制御部と、
前記計測結果の割り当ての変更操作にかかる操作キーを前記計測結果が表示される画面と同一画面に表示させ、前記操作キーの操作に応じて、前記複数の胎児にそれぞれ割り当てられた計測結果の割り当てを前記複数の胎児間で変更する割り当て変更部と、
を備える。
【００１４】
また、上記の目的を達成するため、本発明における制御プログラムは、
同一母体内の複数の胎児のそれぞれについて、予め定められた項目の計測を行う計測部と、表示部とを備える超音波診断装置のコンピュータを、
前記複数の胎児についてそれぞれ割り当てられた計測結果を前記表示部に表示させる計測結果表示制御部、
前記計測結果の割り当ての変更操作にかかる操作キーを前記計測結果が表示される画面と同一画面に表示させ、前記操作キーの操作に応じて、前記複数の胎児にそれぞれ割り当てられた計測結果の割り当てを前記複数の胎児間で変更する割り当て変更部、
として機能させる。
【発明の効果】
【００１５】
本発明によれば、同一母体内に複数の胎児が存在する場合における検診時間を短縮することができる。
【図面の簡単な説明】
【００１６】
【図１】本発明の第１実施の形態に係る超音波診断装置の構成を示すブロック図
【図２】超音波診断装置の表示部の表示画面の一例を示す図
【図３】超音波診断装置の表示部のグラフ画面の一例を示す図
【図４】胎児の計測値の割り当てを変更する処理の一例を示すフローチャート
【図５】操作キーの他の例を示す図
【図６】尤度情報の一例を示す図
【図７】本発明の第２実施の形態に係る多胎発育計測機能部の構成を示すブロック図
【図８】メッセージの一例を示す図
【図９】メッセージの他の例を示す図
【図１０】胎児の計測値の割り当てを変更する処理の一例を示すフローチャート
【図１１】本発明の第３実施の形態に係る多胎発育計測機能部の構成を示すブロック図
【図１２】割り当て変更情報の一例を示す図
【発明を実施するための形態】
【００１７】
＜第１実施の形態＞
以下、本発明の第１実施の形態について、図面を参照しながら説明する。図１は、本発明の第１実施の形態に係る超音波診断装置１の構成を示すブロック図である。
【００１８】
超音波診断装置１は、図１に示すように、超音波診断装置本体１０と超音波探触子Ｐとを備えている。
【００１９】
超音波探触子Ｐは、図示しない生体等の被検体に対して超音波を送信するとともに、この被検体で反射した超音波の反射波（反射エコー）を受信する。そして、超音波探触子Ｐは、受信した反射エコーから電気信号である受信信号を取得し、超音波診断装置本体１０に出力する。
【００２０】
超音波診断装置本体１０は、超音波探触子Ｐとケーブル等を介して接続されている。超音波診断本体１０は、超音波探触子Ｐに電気信号の送信信号を送信して超音波探触子Ｐに被検体に対して超音波を送信させる。また、超音波診断本体１０は、超音波探触子Ｐから受信された受信信号に基づいて被検体内の内部状態を超音波画像として画像化、表示する。
【００２１】
超音波診断装置本体１０は、図１に示すように、制御部１１、超音波送受信部１２、信号処理部１３、画像処理部１４、フレームメモリ（図示略）、記憶部１７、操作部１８等を備えて構成されている。
【００２２】
制御部１１は、ＣＰＵ（Central Processing Unit）、ＲＡＭ（Random Access Memory）等を備えて構成され、記憶部１７に記憶されている各種プログラムとの協働により各種処理を実行し、超音波診断装置１の動作を統括的に制御する。
【００２３】
超音波送受信部１２は、超音波探触子Ｐに送信信号を供給し、超音波探触子Ｐに超音波を発生させる。また、超音波送受信部１２は、超音波探触子Ｐによって被検体で生じる反射エコーを受信し、受信信号を生成して、信号処理部１３に出力する。
【００２４】
信号処理部１３は、受信信号を変換した受信電気信号を電気的に増幅し、デジタル変換等の信号処理を施して画像処理部１４に出力する。
【００２５】
画像処理部１４は、超音波送受信部１２が出力したデジタル受信信号に基づいてＢモード画像を生成する。Ｂモード画像は、受信信号の強さを輝度によって表したものである。このようにして生成されたＢモード画像は、超音波画像としてメモリ部（図示略）に出力される。メモリ部は、画像処理部１４から出力された超音波画像をフレーム画像単位で記憶するフレームメモリ（図示略）を有する。制御部１１は、画像処理部１４から超音波画像が出力されると、出力された超音波画像をフレーム単位でフレームメモリに上書きし、表示部１６に表示させる。
【００２６】
表示部１６は、ＬＣＤ（Liquid Crystal Display）、ＣＲＴ（Cathode-Ray Tube）ディスプレイ、有機ＥＬ（Electronic Luminescence）ディスプレイ又はプラズマディスプレイ等により構成されている。表示部１６は、制御部１１からの制御に従って、フレームメモリ（図示略）に記憶されている超音波画像を順次連続表示する。また、表示部１６は、制御部１１からの制御に従って、各種操作画面等を画面上に表示する。
【００２７】
記憶部１７は、例えばＨＤＤ（Hard Disk Drive）や半導体の不揮発性メモリ等で構成されている。記憶部１７には、各種プログラムやプログラムの実行に必要なデータ等が記憶されている。
【００２８】
操作部１８は、各種スイッチ、機能ボタン、トラックボール、マウス、キーボード、タッチパネル等を備えている。操作部１８は、操作信号を制御部１１に出力する。
【００２９】
超音波診断装置１は、患者データベース１００、多胎児発育計測機能部２００、および、項目計測結果保存部３００（本発明の「計測結果記録部」に対応）を備えている。
【００３０】
患者データベース１００は、患者情報を記録する。患者情報としては、「ＵＩＤ」、「撮影日時」、「検査ＩＤ」、「撮影部位」、「患者ＩＤ」、「患者氏名」、「年齢」、「性別」、「画像保存先」等の項目がある。患者データベース１００は、超音波画像を患者情報と対応づけて記録する。
【００３１】
多胎児発育計測機能部２００は、胎児発育計測部２１０（本発明の「計測部」に対応）、計測結果表示制御部２２０、および、割り当て変更部（後述する）および割り当て変更情報表示制御部２３０を有している。多胎児発育計測機能部２００は、超音波画像を用いて、同一母体内の複数の胎児の発育の指標となる項目の計測を行う。
【００３２】
胎児発育計測部２１０は、胎児の頭部大横径（ＢＰＤ）、頭臀長（ＣＲＬ）、大腿骨長（ＦＬ）、児体重などの項目を計測する。以下、胎児の測定項目の代表としてＢＰＤを説明する。なお、ＢＰＤの計測結果を、単に「計測結果」という場合がある。また、ＢＰＤの計測値を、単に「計測値」という場合がある。
【００３３】
胎児発育計測部２１０による計測方法の一例について説明する。例えば、表示部１６に測定したい部位の画像が表示された状態で、操作部１８で超音波画像をフリーズさせる。フリーズさせるための手段としては、操作部１８を用いる場合を例に説明するが、音声コントロールによりフリーズさせたり、自動でフリーズさせる構成としてもよい。また、操作部１８で計測用カーソルを表示部１６に表示させる。フリーズされた画像に計測したい部位が表示されている場合、操作部１８を操作することにより、計測用カーソルを移動し、計測の始点と終点を指定し、計測範囲を決定する。
【００３４】
図２は、表示部１６の表示画面の一例を示す図である。計測結果表示制御部２２０は、図２に示すように、今回の計測値４３０をグラフ表示させるために、グラフ画面４２０を表示部１６に表示させる。グラフ画面４２０には、横軸を妊娠週数[ｗｅｅｋ]、縦軸を長さ［ｍｍ］にして、今回の計測値４３０と、過去に計測した計測値がある場合には過去の計測値４４０とをプロットしたグラフが表示される。また、グラフ画面４２０には、胎児の平均的な発育度合いを示す平均成長曲線４５０、および、統計的偏差曲線４６０（例えば、＋１．５５ＳＤ曲線、−１．５５ＳＤ曲線）が表示される。
【００３５】
計測結果表示制御部２２０は、図２に示すように、今回の計測値４３０および過去の計測値４４０を計測値表示画面４７０として表示部１６に表示させる。
【００３６】
項目計測結果保存部３００は、今回の計測値４３０を、胎児を識別するための胎児の識別情報、検査日時、妊娠週数と共に、今回計測結果３１０として記録する。
【００３７】
項目計測結果保存部３００は、前回以前(過去)の計測値４４０についても、胎児の識別情報、検査日時、妊娠週数と共に、過去計測結果３２０として記録する。
【００３８】
複数の胎児の計測においては、今回計測値４３０が互いに近似している場合がある。この場合、計測値４３０が間違って胎児に割り当てられるおそれがある。
【００３９】
本実施の形態においては、複数の胎児間で複数の計測値４３０の割り当てを変更する割り当て変更部を備える。割り当て変更部は、例えば、図１および図２に示すように、操作キー１８Ａ、および、割当入力処理部２４０を有している。
【００４０】
図２に示すように、操作キー１８Ａはグラフ画面４２０に表示される。割当入力処理部２４０は、操作キー１８Ａのクリック操作に基づいて、胎児Ａと胎児Ｂとの間で今回の計測値４３０の割り当てを変更する（計測値４３０を交換する）。多胎児発育計測機能部２００は、変更した今回の計測値４３０を今回計測結果３１０として項目計測結果保存部３００に記録させるとともに、割り当てが変更されたことを示す割り当て変更情報を今回の計測値４３０と対応づけて記録させる。また、計測結果表示制御部２２０は、変更された今回の計測値４３０をグラフ画面４２０に表示させる。
【００４１】
ところで、計測値４３０の割り当てが変更された場合、計測値４３０が変更後のものであることついてユーザーの注意が払われるように、計測値４３０の割り当てが変更されたことを示す割り当て変更情報を残しておくことが好ましい。
【００４２】
本実施の形態においては、計測値４３０の割り当てが変更された場合、割り当て変更情報を表示させる割り当て変更情報表示制御部２３０を備える。割り当て変更情報表示制御部２３０は、図３に示すように、割り当て変更情報としてのエクスクラメーションマーク４８０Ｂを、グラフ画面４２０における割り当てが変更された計測値４３０の表示位置近傍（計測値４３０を示すプロットの近傍）に表示させる。なお、割り当て変更情報表示制御部２３０は、エクスクラメーションマーク４８０Ｂを、計測値表示画面４７０における計測値４３０の表示位置近傍に表示させてもよい。これにより、エクスクラメーションマーク４８０Ｂの近傍に表示された計測値４３０の割り当てが変更されたものであることをユーザーに視認させることができる。
【００４３】
また、過去の計測値の割り当てが変更されている場合には、過去の計測値の表示位置近傍にも、割り当て変更情報を表示することが好ましい。
【００４４】
今回の計測値４３０に限らず、過去の計測値４４０に対しても胎児の割り当て変更を行うことができる構成とすることが好ましい。過去の計測値４４０に対する胎児の割り当て変更を行う場合には、割り当て変更をしたい過去の計測値４４０を図示しないタッチパネルやトラックボール等により選択し、操作キー１８Ａを操作することにより、胎児の割り当ての変更を行う。
【００４５】
次に、患者情報の入力から胎児の計測値４３０の割り当ての変更までの処理について図４を参照して説明する。図４は、患者情報の入力から胎児の計測値４３０の割り当ての変更までの処理の一例を示すフローチャートである。
【００４６】
ステップＳ１００において、操作部１８により、患者情報の入力を受け付ける。
【００４７】
ステップＳ１１０において、操作部１８により、胎児の選択を受け付ける。
【００４８】
ステップＳ１２０において、操作部１８により、表示部１６に超音波画像４９０（図９参照）が表示される。
【００４９】
ステップＳ１３０において、胎児発育計測部２１０は、超音波画像４９０を用いて、選択された胎児のＢＰＤの計測を行う。
【００５０】
ステップＳ１４０において、胎児発育計測部２１０は、選択された胎児の計測を終了したか否かについて判断する。胎児の計測を終了した場合（ステップＳ１４０：ＹＥＳ）、処理は、ステップＳ１５０に遷移する。胎児の計測を終了しない場合（ステップＳ１４０：ＮＯ）、処理は、ステップＳ１２０に遷移する。
【００５１】
ステップＳ１５０において、胎児発育計測部２１０は、胎児全員の計測を終了したか否かについて判断する。胎児全員の計測を終了している場合（ステップＳ１５０：ＹＥＳ）、処理はステップＳ１６０に遷移する。胎児全員の計測を終了していない場合（ステップＳ１５０：ＮＯ）、処理はステップＳ１１０に戻る。
【００５２】
ステップＳ１６０において、計測結果表示制御部２２０は、計測値４３０をグラフ画面４２０に表示させる。
【００５３】
ステップＳ１７０において、計測値４３０の割り当ての変更操作があるか否かについて判断する。割り当ての変更操作がある場合（ステップＳ１７０：ＹＥＳ）、処理は、ステップＳ１８０に遷移する。一方、割り当ての変更操作がない場合（ステップＳ１７０：ＮＯ）、処理は終了する。
【００５４】
ステップＳ１８０において、割当入力処理部２４０は、計測値４３０の割り当てを変更する。
【００５５】
上記実施の形態に係る超音波診断装置１によれば、同一母体内の複数の胎児のそれぞれについて、予め定められた項目の計測を行う胎児発育計測部２１０と、複数の胎児のそれぞれの計測値４３０を表示させる計測結果表示制御部２２０と、操作キー１８Ａのクリック操作に基づいて、複数の胎児間で計測値４３０の割り当てを変更する割当入力処理部２４０と、を備える。これにより、医師は、操作キー１８Ａをクリックするだけで、胎児Ａと胎児Ｂとの間で計測値４３０の割り当てを変更することができる。その結果、計測値４３０の割り当てを容易に変更することができるため、計測値４３０の割り当ての変更に費やす時間が減少して、検診時間を短縮することが可能となる。
【００５６】
また、上記実施の形態によれば、操作キー１８Ａはグラフ画面４２０に表示される。それにより、医師は、グラフ画面４２０と同一の画面上で計測値４３０の割り当てを変更することができる。その結果、計測値４３０の割り当てをより容易に変更することができるため、計測値４３０の割り当ての変更に費やす時間がより減少して、検診時間をさらに短縮することが可能となる。
【００５７】
また、上記実施の形態によれば、割り当て変更情報表示制御部２３０は、操作キー１８Ａのクリック操作により計測値４３０の割り当てが変更された場合、割り当て変更情報としてのエクスクラメーションマーク４８０Ｂを計測値４３０の近傍に表示させる。これにより、計測値４３０が変更後のものであることについて、ユーザーの注意が継続して払われることを期待できる。
【００５８】
上記実施の形態においては、割り当て変更部は、胎児Ａと胎児Ｂとの間で計測値４３０の割り当てを変更するための操作キー１８Ａを有している。しかし、本発明はこれに限らない。割り当て変更部は、３以上の胎児それぞれの間で計測値４３０の割り当てを変更するための操作キーを有してもよい。例えば、図５に示す操作キー１８Ｂのように、胎児Ａ、胎児Ｂ、胎児Ｃおよび胎児Ｄのそれぞれの間で計測値４３０の割り当てを変更するものでもよい。
【００５９】
また、上記実施の形態においては、計測結果表示制御部２２０は、今回の計測値４３０が割り当てられた胎児のものであることの確からしさを示す尤度情報４８０Ｄをグラフ画面４２０に表示させてもよい（図６参照）。例えば、胎児発育計測部２１０は、今回の計測値４３０が過去の計測値４４０に基づく近似曲線(グラフ)から外れた程度（乖離度）を示す尤度情報４８０Ｄを算出する。尤度情報４８０Ｄは百分率で表される。ここでは、百分率が低いほど乖離度が高いことを意味する。
【００６０】
計測結果表示制御部２２０は、尤度情報４８０Ｄを、今回の計測値４３０を示すプロットに対応させて表示させる。尤度情報４８０Ｄが表示されることにより、計測値４３０の割り当ての変更が必要であるか否かをユーザーが判断する際の有益な判断材料となり、胎児と計測結果とが誤って対応づけられることを抑制することができる。
【００６１】
また、多胎児発育計測機能部２００は、尤度情報４８０Ｄを今回の計測値４３０に対応づけて項目計測結果保存部３００に記録させてもよい。計測結果表示制御部２２０は、次回の計測値を表示させる場合、項目計測結果保存部３００に記録された尤度情報４８０Ｄを過去の尤度情報として表示させる。これにより、尤度情報の傾向をユーザーに提示することができる。
【００６２】
＜第２実施の形態＞
次に、本発明の第２実施の形態について、図７及び図８を参照しながら説明する。図７は、本発明の第２実施の形態に係る超音波診断装置１の多胎発育計測機能部２００Ａの構成を示すブロック図である。第２実施の形態の説明においては、第１実施の形態と異なる構成について主に説明し、第１実施の形態と同じ構成については同一番号を付してその説明を省略する。
【００６３】
多胎発育計測機能部２００Ａは、図７に示すように、胎児発育計測部２１０により計測された複数の胎児の計測結果がそれぞれの胎児のものであるか否かを判別する胎児判別部２５０を備える。胎児判別部２５０は、予め定められた条件に基づいて計測値４３０（図８参照）が胎児のものであるか否かを判別する。胎児判別部２５０の判別結果は、項目計測結果保存部３００に記録される。
【００６４】
予め定められた第１の条件としては、過去の計測値の傾きである。例えば、胎児判別部２５０は、過去の計測値の傾き（前々回の計測値４４０と前回の計測値４４０とを結ぶ直線の傾き）と、今回の計測値の傾き（胎児Ａの前回の計測値４４０と胎児Ａの今回の計測値４３０とを結ぶ直線の傾き）との差が予め定められた許容範囲を超えている場合、胎児Ａの今回の計測値４３０が胎児Ａのもののではないと判別する。
【００６５】
予め定められた第２の条件としては、今回の計測値４３０が過去の計測値４４０より小さい場合である。例えば、胎児判別部２５０は、胎児Ａの今回の計測値４３０が胎児Ａの過去の計測値４４０より小さい場合、胎児Ａの今回の計測値４３０が胎児Ａのものではでないと判別する。
【００６６】
予め定められた第３の条件としては、胎児Ａの計測値４３０と胎児Ｂの計測値４３０との大小関係である。例えば、胎児Ａの過去の計測値４４０が胎児Ｂの過去の計測値４４０より大きい場合においては、胎児判別部２５０は、胎児Ａの今回の計測値４３０が胎児Ｂの今回の計測値４３０より小さい場合、胎児Ａの今回の計測値４３０と胎児Ｂの今回の計測値４３０とがそれぞれの胎児のものではない（反対である可能性がある）と判別する。
【００６７】
第１から第３の条件の少なくとも１つが該当する場合、促進情報表示制御部２８０は、図８に示すように、胎児Ａと胎児Ｂとの間で今回の計測値４３０の割り当ての変更を促す促進情報５００Ａをグラフ画面４２０に表示させる。なお、促進情報表示制御部２８０は、図９に示すように、上記のメッセージ５００Ａを超音波画像４９０上に表示させてもよい。
【００６８】
次に、第２実施の形態における計測値４３０の割り当ての変更処理について図１０を参照して説明する。なお、図１０におけるステップＳ２００からステップＳ２６０は、図４におけるステップＳ１００からステップＳ１６０と同じであるため、その説明を省略する。
【００６９】
ステップＳ２７０において、胎児判別部２５０は、第１から第３の条件に基づき、計測値４３０が適正であるか（胎児のものであるか）否かについて判断する。第１から第３の条件のいずれにも該当しない、つまり、計測値４３０が適正であると判別された場合（ステップＳ２７０：ＹＥＳ）、処理は終了する。第１から第３の条件の少なくとも１つに該当する、つまり、計測値４３０が適正あると判別されなかった場合（ステップＳ２７０：ＮＯ）、処理は、ステップＳ２８０に遷移する。
【００７０】
ステップＳ２８０において、促進情報表示制御部２８０は、促進情報を表示させる。
【００７１】
ステップＳ２９０において、計測値４３０の割り当ての変更操作があるか否かについて判断する。割り当ての変更操作がある場合（ステップＳ２９０：ＹＥＳ）、処理はステップＳ３００に遷移する。一方、割り当ての変更操作がない場合（ステップＳ２９０：ＮＯ）、処理は終了する。
【００７２】
ステップＳ２９０において、割当入力処理部２４０は、胎児の計測値４３０の割り当てを変更する。ステップＳ２９０において、割り当てを変更した場合には、第１実施の形態と同様、多胎児発育計測機能部２００は、変更した今回の計測値４３０を今回計測結果３１０として項目計測結果保存部３００に記録させるとともに、割り当てが変更されたことを示す割り当て変更情報を今回の計測値４３０と対応づけて記録させる。
【００７３】
なお、上記第２実施の形態においては、胎児判別部２５０による判別結果を訂正する判別結果訂正部２６０を備えてもよい。これにより、判別結果と、割り当て変更情報との整合をとることが可能となる。また、胎児判別部２５０は、判別結果および割り当て変更情報に基づいて、判別における正誤の境界を補正する学習機能を有してもよい。これにより、判別精度を上げることが可能となる。
【００７４】
＜第３実施の形態＞
次に、本発明の第３実施の形態について、図１１および図１２を参照しながら説明する。図１１は、多胎発育計測機能部２００Ｂの構成を示すブロック図である。第３実施の形態の説明においては、第１実施の形態と異なる構成について主に説明し、第１実施の形態と同じ構成については同一番号を付してその説明を省略する。
【００７５】
多胎発育計測機能部２００Ｂは、図１１に示すように、割当部２７０を備えている。割当部２７０は、予め定められた条件に基づいて、今回の計測値４３０を複数の胎児のいずれかに割り当てる。ここで、予め定められた条件とは、今回の計測値４３０と複数の胎児のそれぞれについての過去の計測値４４０との関連度の高さをいう。
【００７６】
図１２に、今回の計測値４３０および前回の計測値４４０Ａを示す。過去の計測値４４０が、あらかじめ定められた条件に基づいていずれかの胎児に割り当てられた後、他の胎児に割り当てを変更された計測値である場合には、割り当て変更情報表示制御部２３０は、割り当てを変更された過去の計測値（図１２においては、前回の計測値４４０Ａ）が割り当てを変更されたことを示す割り当て変更情報としてのエクスクラメーションマーク４８０Ａをグラフ画面４２０に表示させる。
【００７７】
なお、変更前の前回の計測値４４０Ａがそれぞれの胎児のものであることの判断を、ユーザーが行う場合がある。
【００７８】
ユーザーは、変更前の前回の計測値４４０Ａがそれぞれの胎児のものであったと判断した場合に、グラフ画面４２０をタッチする。割り当て変更情報表示制御部２３０は、グラフ画面４２０のタッチ操作により、計測値４４０Ａの割り当てを変更するための人差し指型のマウスポインター４８０Ｃをグラフ画面４２０に表示させる（図１２参照）。割当入力処理部２４０は、マウスポインター４８０Ｃの操作により、計測値４４０Ａの割り当てを変更する。
【００７９】
第３実施の形態によれば、マウスポインター４８０Ｃが表示され、マウスポインター４８０Ｃの操作により、計測値４４０Ａの割り当てをより容易に変更することができるため、計測値４４０Ａの割り当ての変更に費やす時間がさらに減少して、検診時間をより短縮することが可能となる。
【００８０】
あるいは、ユーザーは、変更前の前回の計測値４４０Ａがそれぞれの胎児のものであったと判断した場合に、計測値４４０Ａをタッチする。割り当て変更情報表示制御部２３０は、操作キー１８Ａをグラフ画面４２０に表示させる。割当入力処理部２４０は、操作部１８の操作により、計測値４４０Ａの割り当てを変更する。
【００８１】
本実施の形態によれば、変更したい計測値４４０Ａを直接選択することにより、計測値４４０Ａの割り当てをより容易に変更することができるため、計測値４４０Ａの割り当ての変更に費やす時間がさらに減少して、検診時間をより短縮することが可能となる。
【００８２】
これに対して、変更前の前回の計測値４４０Ａがそれぞれの胎児のものであることの判断を胎児判別部２５０が行う場合がある。
【００８３】
割り当て変更情報表示制御部２３０は、変更前の前回の計測値４４０Ａがそれぞれの胎児のものであったと胎児判別部２５０が判断した場合、メッセージ５００Ｂ（例えば、計測値の割り当てが誤って変更された可能性が高い旨の情報）および操作キー１８Ａをグラフ画面４２０に表示させる（図１２参照）。
【００８４】
上記第３実施の形態によれば、メッセージ５００Ｂが表示されるため、計測値４４０Ａの割り当てが誤って変更された可能性が高いことをユーザーに視認させることができる。
【００８５】
第３実施の形態においては、操作キー１８Ａによる割り当て変更操作が、超音波画像４９０上できるため、割り当ての変更を容易に行うことができる。
【００８６】
なお、第３実施の形態においては、検診時間を短縮するために、割り当ての変更操作を、胎児発育計測部２１０による計測中に行うようにしてもよい。
【００８７】
その他、上記実施の形態は、何れも本発明の実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８８】
１  超音波診断装置
１０  超音波診断装置本体
１１  制御部
１２  超音波送受信部
１３  信号処理部
１４  画像処理部
１６  表示部
１７  記憶部
１８  操作部
１８Ａ  操作キー
１００  患者データベース
２００  多胎児発育計測機能部
２１０  胎児発育計測部
２２０  計測結果表示制御部
２３０  割り当て変更情報表示制御部
２４０  割当入力処理部
２５０  胎児判別部
２６０  判別結果訂正部
２７０  割当部
２８０  促進情報表示制御部
３００  項目計測結果保存部
３１０  今回計測結果
３２０  過去計測結果
４２０  グラフ画面
４３０  今回の計測値
４４０  過去の計測値
４５０  平均成長曲線
４６０  統計的偏差曲線
４７０  計測値表示画面
４８０  エクスクラメーションマーク
４８０Ａ  エクスクラメーションマーク
４８０Ｃ  マウスポインター
４８０Ｄ  尤度情報
４９０  超音波画像
５００Ａ  促進情報
５００Ｂ  メッセージ
【図１】
2019201733.tif 000003
【図２】
2019201733.tif 000004
【図３】
2019201733.tif 000005
【図４】
2019201733.tif 000006
【図５】
2019201733.tif 000007
【図６】
2019201733.tif 000008
【図７】
2019201733.tif 000009
【図８】
2019201733.tif 000010
【図９】
2019201733.tif 000011
【図１０】
2019201733.tif 000012
【図１１】
2019201733.tif 000013
【図１２】
2019201733.tif 000014